(57)【要約】      （修正有）【課題】面の三次元形状を高速かつ高精度に測定することができる形状測定装置を提供する。【解決手段】低コヒーレンス光源１２から放射された低コヒーレンス光は、コリメータ１６を介してビームスプリッタ１８に入射され、ビームスプリッタ１８によって測定光と参照光とに分割される。測定光はテレセントリック光学系２０によって拡大、平行化されて測定対象物Ｏに照射される。測定対象物Ｏで反射した測定光は、ビームスプリッタ１８によって、ＣＣＰで反射した参照光と一つに合わされて干渉し、光検出器２４に入射される。光検出器２４は、受光素子をマトリクス状に配列して構成される。光検出器２４の各受光素子で検出される干渉光の光強度に基づいて測定光が照射された部位の三次元形状が測定される。【選択図】図１
2014098572.tif 000002
【特許請求の範囲】
【請求項１】
測定対象物の面の三次元形状を測定する形状測定装置であって、
低コヒーレンス光を放射する光源と、
前記光源から放射される前記低コヒーレンス光を平行光に変換するコリメート光学系と、
前記コリメート光学系によって平行光にされた前記低コヒーレンス光を測定光と参照光とに分割する光分割手段と、
前記光分割手段から出射される前記参照光を反射する参照光反射体と、
前記参照光反射体を移動させて前記参照光の光路長を変更する参照光路長変更手段と、
前記参照光反射体の位置を検出する参照光反射体位置検出手段と、
前記光分割手段から出射される前記測定光を拡大かつ平行化し、前記測定対象物に照射するテレセントリック光学系と、
前記参照光反射体で反射される前記参照光と前記測定対象物で反射される前記測定光とを一つに合わせて干渉させる光干渉手段と、
受光素子がマトリクス状に配列されて構成され、前記光干渉手段から出射される前記測定光と前記参照光との干渉光を受光する光検出手段と、
前記受光素子ごとに前記干渉光の強度が最大となるときの前記参照光反射体の位置を検出して、前記測定光が照射された前記測定対象物の面の三次元形状を算出する演算手段と、
を有する形状測定装置。
【請求項２】
測定対象物の面の三次元形状を測定する形状測定装置であって、
低コヒーレンス光を放射する光源と、
前記光源から放射される前記低コヒーレンス光を平行光に変換するコリメート光学系と、
前記コリメート光学系によって平行光にされた前記低コヒーレンス光を測定光と参照光とに分割する光分割手段と、
前記光分割手段から出射される前記参照光を反射する参照光反射体と、
前記光分割手段から出射される前記測定光を拡大かつ平行化し、前記測定対象物に照射するテレセントリック光学系と、
前記参照光反射体で反射される前記参照光と前記測定対象物で反射される前記測定光とを一つに合わせて干渉させる光干渉手段と、
受光素子がマトリクス状に配列されて構成され、前記光干渉手段から出射される前記測定光と前記参照光との干渉光を受光する光検出手段と、
前記コリメート光学系と前記光分割手段と前記参照光反射体と前記光干渉手段と前記テレセントリック光学系と前記光検出手段とを前記テレセントリック光学系の光軸に沿って移動可能に支持する支持体と、
前記支持体を移動させて前記測定光の光路長を変更する測定光路長変更手段と、
前記支持体の位置を検出する支持体位置検出手段と、
前記受光素子ごとに前記干渉光の強度が最大となるときの前記支持体の位置を検出して、前記測定光が照射された前記測定対象物の面の三次元形状を算出する演算手段と、
を有する形状測定装置。
【請求項３】
測定対象物の面の三次元形状を測定する形状測定装置であって、
低コヒーレンス光を放射する光源と、
前記光源から放射される前記低コヒーレンス光を平行光に変換するコリメート光学系と、
前記コリメート光学系によって平行光にされた前記低コヒーレンス光を測定光と参照光とに分割する光分割手段と、
前記光分割手段から出射される前記参照光を反射する参照光反射体と、
前記光分割手段から出射される前記測定光を拡大かつ平行化し、前記測定対象物に照射するテレセントリック光学系と、
前記参照光反射体で反射される前記参照光と前記測定対象物で反射される前記測定光とを一つに合わせて干渉させる光干渉手段と、
受光素子がマトリクス状に配列されて構成され、前記光干渉手段から出射される前記測定光と前記参照光との干渉光を受光する光検出手段と、
前記測定対象物を前記テレセントリック光学系の光軸に沿って移動可能に支持する支持体と、
前記測定対象物を移動させて前記測定光の光路長を変更する測定光路長変更手段と、
前記測定対象物の位置を検出する測定対象物位置検出手段と、
前記受光素子ごとに前記干渉光の強度が最大となるときの前記測定対象物の位置を検出して、前記測定光が照射された前記測定対象物の面の三次元形状を算出する演算手段と、
を有する形状測定装置。
【請求項４】
前記測定光を前記テレセントリック光学系によって拡大かつ平行化することによって生じる前記測定光の光路長の変化に基づく測定データの補正情報が記憶された補正情報記憶手段を更に備え、前記演算手段は算出した測定データを前記補正情報で補正して真の測定データとする請求項１から３のいずれか１項に記載の形状測定装置。
【請求項５】
前記参照光反射体と前記光干渉手段との間に配置され、前記測定光を前記テレセントリック光学系によって拡大かつ平行化することによって生じる前記測定光の光路長の変化に応じて前記参照光の光路長を補正する参照光路長補正手段を更に備えた請求項１から３のいずれか１項に記載の形状測定装置。
【請求項６】
前記光源は中心波長が紫外線領域に属する低コヒーレンス光を放射する請求項１から５のいずれか１項に記載の形状測定装置。
【請求項７】
前記光検出手段が固体撮像素子で構成され、三次元形状の測定と同時に測定対象の面の画像が撮像される請求項１から６のいずれか１項に記載の形状測定装置。
【発明の詳細な説明】
【技術分野】
【０００１】
本発明は形状測定装置に係り、特に低コヒーレンス干渉の原理を利用して測定対象物の面の三次元形状を精密に測定する形状測定装置に関する。
【背景技術】
【０００２】
測定対象物の寸法を非接触で精密に測定する方法として、低コヒーレンス干渉の原理を利用した測定方法が知られている。この方法では、スペクトル波長が広い白色光源、いわゆる低コヒーレンス光源から放射される光を測定光と参照光とに分割し、測定光を測定対象物に照射し、測定対象物で反射した測定光と参照光とを干渉させ、その干渉光の強度を検出することにより、測定光を照射した位置における測定対象物の寸法（表面位置）を測定する。したがって、広範囲の面の三次元形状を測定するためには、測定光の照射位置を変えること、すなわち、測定光の走査もしくは測定対象物の移動が必要とされる。
【０００３】
特許文献１には、反射面の向きを調節できるミラー（走査鏡）によって測定光の向きを変えることにより、測定光の照射位置を変える技術が記載されている。
【先行技術文献】
【特許文献】
【０００４】
【特許文献１】特開２０１０−４３９５４号公報
【発明の概要】
【発明が解決しようとする課題】
【０００５】
しかしながら、特許文献１は、ミラーで測定光の向きを変えることにより、測定面に対して測定光が斜めに入射するという欠点がある。この結果、測定光反射光の強度が落ち、測定感度が低下するとともに、測定対象物に対する測定光のスポットサイズが拡がってしまうため、高精度な測定ができないという問題がある。
【０００６】
また、面の三次元形状を測定するためには、測定光による走査方向と直交する方向に測定対象物を移動させることが必要となり、測定に時間がかかるという欠点がある。
【０００７】
従来、低コヒーレンス干渉の原理を利用した測定では、低コヒーレンス光源として、ハロゲンランプやＬＥＤ（Light Emitting Diode）などの可視光域の光源、又は、ＳＬＤ（Super Luminescent Diode）、ＡＳＥ（Amplified Spontaneous Emission）、スーパーコンテニューム光源等の中心波長が赤外線領域の光源を使用している。しかし、このような光源は、測定対象物の表面で集光される測定光のスポットサイズが光源の波長の回折限界により制限される結果、横方向（測定光伝播方向に対して垂直な方向）の分解能を向上させることができないという問題がある。
【０００８】
本発明は、このような事情に鑑みてなされたもので、測定対象物の面の三次元形状を高速かつ高精度に測定することができる形状測定装置を提供することを目的とする。
【課題を解決するための手段】
【０００９】
課題を解決するための手段は、次のとおりである。
【００１０】
［１］第１の態様は、測定対象物の面の三次元形状を測定する形状測定装置であって、低コヒーレンス光を放射する光源と、光源から放射される低コヒーレンス光を平行光に変換するコリメート光学系と、コリメート光学系によって平行光にされた低コヒーレンス光を測定光と参照光とに分割する光分割手段と、光分割手段から出射される参照光を反射する参照光反射体と、参照光反射体を移動させて参照光の光路長を変更する参照光路長変更手段と、参照光反射体の位置を検出する参照光反射体位置検出手段と、光分割手段から出射される測定光を拡大かつ平行化し、測定対象物に照射するテレセントリック光学系と、参照光反射体で反射される参照光と測定対象物で反射される測定光とを一つに合わせて干渉させる光干渉手段と、受光素子がマトリクス状に配列されて構成され、光干渉手段から出射される測定光と参照光との干渉光を受光する光検出手段と、受光素子ごとに干渉光の強度が最大となるときの参照光反射体の位置を検出して、測定光が照射された測定対象物の面の三次元形状を算出する演算手段と、を有する形状測定装置である。
【００１１】
本態様によれば、測定光がテレセントリック光学系によって拡大、平行化されて測定対象物に照射される。これにより、測定対象物の広範囲に測定光を垂直に照射することができる。測定対象物で反射された測定光はテレセントリック光学系を介して光干渉手段に入射され、参照光反射体で反射された参照光と一つに合わされて干渉し、光検出手段に入射する。光検出手段は、受光素子をマトリクス状に配列して構成され、各受光素子で個別に光強度が検出される。したがって、各受光素子ごとに光強度が最大となるときの参照光反射体の位置を検出することにより、測定光が照射された測定対象物の面の三次元形状を求めることができる。すなわち、各受光素子ごとに対応する位置の面高さを測定することができるので、全受光素子の測定情報を取得することにより、測定光が照射された部位の形状を求めることができる。
【００１２】
［２］第２の態様は、測定対象物の面の三次元形状を測定する形状測定装置であって、低コヒーレンス光を放射する光源と、光源から放射される低コヒーレンス光を平行光に変換するコリメート光学系と、コリメート光学系によって平行光にされた低コヒーレンス光を測定光と参照光とに分割する光分割手段と、光分割手段から出射される参照光を反射する参照光反射体と、光分割手段から出射される測定光を拡大かつ平行化し、測定対象物に照射するテレセントリック光学系と、参照光反射体で反射される参照光と測定対象物で反射される測定光とを一つに合わせて干渉させる光干渉手段と、受光素子がマトリクス状に配列されて構成され、光干渉手段から出射される測定光と参照光との干渉光を受光する光検出手段と、コリメート光学系と光分割手段と参照光反射体と光干渉手段とテレセントリック光学系と光検出手段とをテレセントリック光学系の光軸に沿って移動可能に支持する支持体と、支持体を移動させて測定光の光路長を変更する測定光路長変更手段と、支持体の位置を検出する支持体位置検出手段と、受光素子ごとに干渉光の強度が最大となるときの支持体の位置を検出して、測定光が照射された測定対象物の面の三次元形状を算出する演算手段と、を有する形状測定装置である。
【００１３】
本態様によれば、測定光がテレセントリック光学系によって拡大、平行化されて測定対象物に照射される。これにより、測定対象物の広範囲に測定光を垂直に照射することができる。測定対象物で反射された測定光はテレセントリック光学系を介して光干渉手段に入射され、参照光反射体で反射された参照光と一つに合わされて干渉し、光検出手段に入射する。光検出手段は、受光素子をマトリクス状に配列して構成され、各受光素子で個別に光強度が検出される。したがって、各受光素子ごとに光強度が最大となるときの支持体の位置を検出することにより、測定光が照射された測定対象物の面の三次元形状を求めることができる。
【００１４】
［３］請求項第３の態様は、測定対象物の面の三次元形状を測定する形状測定装置であって、低コヒーレンス光を放射する光源と、光源から放射される低コヒーレンス光を平行光に変換するコリメート光学系と、コリメート光学系によって平行光にされた低コヒーレンス光を測定光と参照光とに分割する光分割手段と、光分割手段から出射される参照光を反射する参照光反射体と、光分割手段から出射される測定光を拡大かつ平行化し、測定対象物に照射するテレセントリック光学系と、参照光反射体で反射される参照光と測定対象物で反射される測定光とを一つに合わせて干渉させる光干渉手段と、受光素子がマトリクス状に配列されて構成され、光干渉手段から出射される測定光と参照光との干渉光を受光する光検出手段と、測定対象物をテレセントリック光学系の光軸に沿って移動可能に支持する支持体と、測定対象物を移動させて測定光の光路長を変更する測定光路長変更手段と、測定対象物の位置を検出する測定対象物位置検出手段と、受光素子ごとに干渉光の強度が最大となるときの測定対象物の位置を検出して、測定光が照射された測定対象物の面の三次元形状を算出する演算手段と、を有する形状測定装置である。
【００１５】
本態様によれば、測定光がテレセントリック光学系によって拡大、平行化されて測定対象物に照射される。これにより、測定対象物の広範囲に測定光を垂直に照射することができる。測定対象物で反射された測定光はテレセントリック光学系を介して光干渉手段に入射され、参照光反射体で反射された参照光と一つに合わされて干渉し、光検出手段に入射する。光検出手段は、受光素子をマトリクス状に配列して構成され、各受光素子で個別に光強度が検出される。したがって、各受光素子ごとに光強度が最大となるときの測定対象物の位置を検出することにより、測定光が照射された測定対象物の面の三次元形状を求めることができる。
【００１６】
［４］第４の態様は、上記第１から３のいずれか１つの態様の形状測定装置において、測定光をテレセントリック光学系によって拡大かつ平行化することによって生じる測定光の光路長の変化に基づく測定データの補正情報が記憶された補正情報記憶手段を更に備え、演算手段は算出した測定データを補正情報で補正して真の測定データとする態様である。
【００１７】
本態様によれば、測定光を拡大、平行化することによって生じる測定光の光路長の変化に基づく測定データのズレが補正される。これにより、更に高精度な測定を行うことができる。
【００１８】
［５］第５の態様は、上記第１から３のいずれか１つの態様の形状測定装置において、参照光反射体と光干渉手段との間に配置され、測定光をテレセントリック光学系によって拡大かつ平行化することによって生じる測定光の光路長の変化に応じて参照光の光路長を補正する参照光路長補正手段を更に備えた態様である。
【００１９】
本態様によれば、測定光を拡大、平行化することによって生じる測定光の光路長の変化に応じて参照光の光路長が補正される。すなわち、測定光の光路長と同じ変化量で参照光の光路長が変化するように、参照光の光路長が補正される。これにより、更に高精度な測定を行うことができる。
【００２０】
［６］第６の態様は、上記第１から５のいずれか１つの態様の形状測定装置において、光源は中心波長が紫外線領域に属する低コヒーレンス光を放射する態様である。
【００２１】
本態様によれば、中心波長が紫外線領域（波長４００ｎｍ〜２００ｎｍ）の低コヒーレンス光を放射する光源が用いられる。これにより測定光の像面解像度を向上させることができ（０．５μｍ程度）、横方向の分解能を向上させることができる。また、測定光の像面解像度を向上させることにより、測定対象物からの乱反射を抑制させることができ、高感度な測定を行うことができる。
【００２２】
［７］第７の態様は、上記第１から６のいずれか１つの態様の形状測定装置において、光検出手段が固体撮像素子で構成され、三次元形状の測定と同時に測定対象の面の画像が撮像される態様である。
【００２３】
本態様によれば、光検出手段が、ＣＣＤやＣＭＯＳ等の固体撮像素子で構成され、測定対象の面の画像が撮像される。これにより、三次元形状のデータとともに、その測定された面の画像データも取得することができる。
【発明の効果】
【００２４】
本発明によれば、測定対象物の面の三次元形状を高速かつ高精度に測定することができる。
【図面の簡単な説明】
【００２５】
【図１】形状測定装置の第１の実施の形態を示す概略構成図
【図２】低コヒーレンス光源が放射する光のスペクトル分布例を示す図
【図３】参照光走査光学系の概略構成図
【図４】光検出器の受光面の概略構成図
【図５】光検出器から出力される干渉信号の例を示す図
【図６】形状測定装置の第２の実施の形態を示す概略構成図
【図７】形状測定装置のその他の実施の形態を示す概略構成図
【図８】形状測定装置のその他の実施の形態を示す概略構成図
【発明を実施するための形態】
【００２６】
以下、添付図面に従って本発明の好ましい実施の形態について説明する。
【００２７】
〔第１の実施の形態〕
［装置構成］
図１は、本発明に係る形状測定装置の第１の実施の形態を示す概略構成図である。
【００２８】
同図に示すように、本実施の形態の形状測定装置１０は、主として、低コヒーレンス光源１２と、ライトガイド１４と、コリメータ１６と、ビームスプリッタ１８と、テレセントリック光学系２０と、参照光走査光学系２２と、光検出器２４と、測定対象物駆動ステージ２６と、コントローラ２８とを備えて構成される。
【００２９】
低コヒーレンス光源１２は、コヒーレンス長が短く、広帯域な波長の光（低コヒーレンス光）を放射する光源である。
【００３０】
図２は、低コヒーレンス光源が放射する光のスペクトル分布例を示す図である。
【００３１】
同図に示すように、低コヒーレンス光源１２から放射される光の発光スペクトルは、波長ΛＭを中心として一定の拡がりをもった発光スペクトルとなる。
【００３２】
特に、本実施の形態の形状測定装置１０では、中心波長ΛＭが紫外線領域（波長４００ｎｍ〜２００ｎｍ）の光源が用いられる。このような光源を使用することにより、像面解像度を向上させることができ（０．５μｍ程度）、横方向の分解能を向上させることができる。
【００３３】
低コヒーレンス光源１２としては、たとえば、キセノンランプ、紫外レーザ光源、ＬＥＤ（Light Emitting Diode）などを用いることができる（スペクトル幅５０ｎｍ以上が好ましい。）。
【００３４】
ライトガイド１４は、可撓性を有する光ファイバで構成され、低コヒーレンス光源１２から放出される光をコリメータ１６に伝播する。
【００３５】
コリメータ１６は、ライトガイド１４から出射される発散光を平行光にし、ビームスプリッタ１８に入射する。
【００３６】
ビームスプリッタ１８は、光分割手段及び光干渉手段として機能し、コリメータ１６から出射される光を測定光と参照光とに分割する（光分割手段としての機能）。測定光はテレセントリック光学系２０に入射され、参照光は参照光走査光学系２２に入射される。また、ビームスプリッタ１８は、テレセントリック光学系２０から戻る光（測定対象物Ｏで反射した測定光）と参照光走査光学系２２から戻る光（ＣＣＰ４０で反射した参照光）とを一つに合わせて光学的に干渉させ（光干渉手段としての機能）、光検出器２４に入射させる。
【００３７】
テレセントリック光学系２０は、ビームスプリッタ１８から出射される測定光を拡大、平行化し、かつ、測定光の像面分解能を高め、像面歪曲等の収差を抑える役割を果す。測定光は、このテレセントリック光学系２０を介して拡大、平行化されて測定対象物Ｏの表面に照射される（たとえば、Φ６０〜１００ｍｍ、像面分解能４．０μｍ以上とされて測定対象物Ｏの表面に照射される。）。これにより、測定対象物Ｏの表面（測定対象面）の広範囲に測定光を垂直に照射することができる。
【００３８】
面の三次元形状を測定する測定エリアは、この測定光が照射されるエリア内に設定される。
【００３９】
テレセントリック光学系２０を介して測定対象物Ｏの表面に照射された測定光は、測定対象物Ｏの表面で反射し、テレセントリック光学系２０を介してビームスプリッタ１８に戻される。
【００４０】
なお、テレセントリック光学系２０は、ビームスプリッタ１８で測定光（像）と参照光（像）とを干渉（重ね合わせ）させることを考慮すると、両側テレセントリック光学系とすることが好ましい。
【００４１】
参照光走査光学系２２は、ビームスプリッタ１８から出射される参照光の光路長を変化させる。
【００４２】
図３は、参照光走査光学系の概略構成図である。
【００４３】
同図に示すように、参照光走査光学系２２は、主として、ＣＣＰ（Corner Cube Prism：コーナーキューブプリズム）４０と、直動ステージ４２と、リニアスケール４４と、スケールヘッド４６とを備えて構成される。
【００４４】
ＣＣＰ４０は、参照光反射体として機能し、ビームスプリッタ１８から出射される参照光を反射して、ビームスプリッタ１８に入射する。
【００４５】
直動ステージ４２は、参照光路長変更手段として機能し、ＣＣＰ４０を移動させて参照光の光路長を変化させる。図３に示すように、ＣＣＰ４０は、直動ステージ４２に設けられる。直動ステージ４２は、ガイドレール４８上に設けられる。ガイドレール４８は、ビームスプリッタ１８から出射される参照光の光軸の平行同軸性を保つように配設される。直動ステージ４２は、図示しない駆動手段（たとえば、圧電素子やボイスコイルモータ、超音波モータ等）に駆動されてガイドレール４８上を往復移動する。直動ステージ４２がガイドレール４８上を往復移動することにより、ＣＣＰ４０がビームスプリッタ１８から出射される参照光の光軸に沿って往復移動する。これにより、参照光の光路長が変化する。
【００４６】
リニアスケール４４とスケールヘッド４６は、ＣＣＰ４０の位置を検出するための参照光反射体位置検出手段を構成する。リニアスケール４４は、ガイドレール４８に沿って移動する直動ステージ４２の位置検出が可能となるように配設される。スケールヘッド４６は、直動ステージ４２に設けられる。直動ステージ４２が移動すると、スケールヘッド４６がリニアスケール４４に沿って移動する。スケールヘッド４６でリニアスケール４４の位置情報を読み取り、ＣＣＰ４０の位置を検出する。スケールヘッド４６で読み取られたＣＣＰ４０の位置情報は、コントローラ２８に出力される。
【００４７】
光検出器（光検出手段）２４は、図４に示すように、多数の受光素子（画素）３０をマトリクス状に配列して構成される。各受光素子３０は、受光した光の強度に応じた電荷を蓄積する。光検出器２４は、各受光素子３０に蓄積された信号電荷を信号電圧に変換し、電気信号（干渉信号）として出力する。このような機能を有する光検出器２４としては、たとえば、ＣＣＤイメージセンサ（Charge Coupled Device Image Sensor）やＣＭＯＳイメージセンサ（Complementary Metal Oxide Semiconductor Image Sensor）などの固体撮像素子が好適に用いられる。
【００４８】
測定対象物Ｏで反射した測定光とＣＣＰ４０で反射した参照光は、ビームスプリッタ１８によって一つに合わされて光学的に干渉し、光検出器２４の各受光素子３０に入射される。
【００４９】
光検出器２４の各受光素子３０は、測定エリア内に設定される各測定点に一対一で対応し、各測定点で反射した測定光の干渉光が、対応する受光素子３０に入射される。すなわち、測定エリアは、測定光が照射されるエリアのうち、その反射光の干渉光が光検出器２４に入射する領域として設定される。したがって、たとえば、光検出器２４を固体撮像素子で構成した場合は、その撮像領域（固体撮像素子で撮像可能な領域）が測定エリアに設定される。そして、各測定点は、その測定エリアを受光素子３０の配列にしたがって分割した領域として設定される。したがって、たとえば、受光素子３０がｍ×ｎで配列される場合は、測定エリアをｍ×ｎで区画したときの各分割領域が測定点として設定される。
【００５０】
光検出器２４の各受光素子３０で検出される干渉光の強度は、ＣＣＰ４０の移動により変化する。すなわち、干渉光の強度は、参照光と測定光との光路長差により変化するので、ＣＣＰ４０を移動させて参照光の光路長を変化させると、測定光と参照光との光路長差が変化して、干渉光の強度が変化する。そして、この干渉光の強度振幅は、測定光と干渉光との光路長差がゼロのときに最大となる。
【００５１】
光検出器２４は、所定の時間間隔でサンプリングし、各サンプリング時点における検出光量を電気信号（干渉信号）に変換してコントローラ２８に出力する。
【００５２】
なお、本実施の形態の形状測定装置１０では、低コヒーレンス光源１２として中心波長が紫外線領域の光源を使用するので、紫外線領域の感度が高い検出器を使用することが好ましい。
【００５３】
また、上記のように、中心波長が紫外線領域の光源を使用した場合、測定光の像面解像度を向上させることができるので（横方向の分解能を向上させることができる）、光検出器２４も高解像度の検出器（５００万画素以上）を使用することが好ましい。これにより、高分解能な測定を行うことができる。
【００５４】
測定対象物駆動ステージ２６は、測定対象物Ｏが載置されるステージであり、互いに直交する二方向（Ｘ方向（図１においてＸ方向）とＹ方向（図１において紙面と直交する方向））に移動可能に設けられる（ＸＹ平面を移動可能に設けられる）。測定対象物駆動ステージ２６は、図示しないステージ駆動手段に駆動されて、Ｘ方向とＹ方向とに移動する（ＸＹ平面を移動する）。
【００５５】
測定対象物駆動ステージ２６の位置は、図示しないステージ位置検出手段で検出され、検出された位置情報はコントローラ２８に出力される。
【００５６】
テレセントリック光学系２０から出射される測定光は、この測定対象物駆動ステージ２６に垂直（Ｚ方向）に入射される（ＸＹ平面に対して垂直に入射される。）。
【００５７】
コントローラ２８は、測定対象物Ｏの寸法を算出するための演算手段として機能するとともに、形状測定装置１０の全体の動作を統括制御する制御手段として機能する。コントローラ２８は、いわゆるＰＣ（Personal Computer）で構成され、所定のプログラムを実行して、演算手段及び制御手段としての機能を実現する。
【００５８】
測定対象物駆動ステージ２６の移動制御、ＣＣＰ４０の移動制御、低コヒーレンス光源１２の発光制御などの各部の駆動制御は、このコントローラ２８によって行われる。
【００５９】
また、測定対象物Ｏの三次元形状の算出は、このコントローラ２８によって行われる。すなわち、コントローラ２８は、光検出器２４から出力される各受光素子３０の干渉信号（干渉光の強度）、スケールヘッド４６から出力されるＣＣＰ４０の位置情報、ステージ位置検出手段から出力される測定対象物駆動ステージ２６の位置情報を取得し、これらの情報に基づいて測定対象物Ｏの測定対象面の三次元形状を算出する。
【００６０】
具体的には、次のようにして、測定対象面の三次元形状を算出する。
【００６１】
低コヒーレンス光源１２から放射される光は、コヒーレンス長が短いため、測定光と参照光との光路長の差がゼロ又はその近傍でのみ干渉縞（白色干渉縞）が検出される。そして、その干渉縞は、測定光の光路長と参照光の光路長とが一致するとき、すなわち、両者の光路長の差がゼロのときにコントラストが最大になる。干渉縞のコントラストは、光検出器２４で検出される干渉光の強度として表され、図５に示すように、ＣＣＰ４０の位置、すなわち、測定光と参照光との光路長差に応じて変化する。
【００６２】
そこで、低コヒーレンス干渉の原理を利用した寸法測定では、まず、寸法が既知の基準品（マスタ）について、干渉光の強度が最大になるときのＣＣＰ４０の位置が求められ、次いで、測定対象物Ｏについて、干渉光の強度が最大となるときのＣＣＰ４０の位置が求められる。そして、求められたＣＣＰ４０の位置の差に相当する光路長差が求められ、求められた光路長差が基準品の寸法に加えられて、測定対象物Ｏの寸法が求められる。
【００６３】
本実施の形態の形状測定装置１０では、光検出器２４を構成する各受光素子（画素）３０で干渉光の光強度が検出される。したがって、受光素子３０ごとに、基準品について干渉光の強度が最大になるときのＣＣＰ４０の位置と、測定対象物Ｏについて干渉光の強度が最大となるときのＣＣＰ４０の位置とが求められる。そして、受光素子３０ごとに光路長差が求められ、求められた光路長差が基準品の寸法に加えられて、受光素子３０ごとに寸法が求められる。この各受光素子３０で求められる寸法は、対応する測定点の寸法を示し、すべての測定点の寸法を取得することにより、測定エリアの三次元形状が取得される。
【００６４】
なお、基準品の測定は、測定対象物Ｏの測定を実施する前に行われる。そして、その測定で得られた情報はコントローラ２８内の記憶装置（不図示）に記憶される。
【００６５】
［作用］
次に、以上のように構成される本実施の形態の形状測定装置１０を用いた測定対象物の面の三次元形状の測定方法について説明する。
【００６６】
実際に測定対象物Ｏを測る事前準備として基準面の測定を行う。基準面の測定は、寸法（表面位置）が既知の基準品を測定対象物駆動ステージ２６にセットし、その表面（基準面）を測定することにより行う。すなわち、基準品を測定対象物駆動ステージ２６にセットし、低コヒーレンス光源１２を点灯させ、基準品の表面に測定光を照射する。そして、ＣＣＰ４０を移動させ、干渉光の強度が最大になるときのＣＣＰ４０の位置Ｐ０を検出する。
【００６７】
ここで、上記のように、本実施の形態の形状測定装置１０では、光検出器２４の各受光素子３０で干渉光が受光されるので、受光素子３０ごとに干渉光の強度が最大になるときのＣＣＰ４０の位置Ｐ０が検出される。
【００６８】
コントローラ２８は、受光素子３０ごとに得られたＣＣＰ４０の位置Ｐ０の情報を基準位置情報としてコントローラ２８内の記憶装置（不図示）に記憶する。
【００６９】
以上の事前準備が完了した後、測定対象物Ｏの測定を行う。
【００７０】
測定対象物Ｏを形状測定装置１０の測定対象物駆動ステージ２６にセットする。セット後、オペレータはコントローラ２８に測定開始を指示する。
【００７１】
測定開始が指示されると、まず、コントローラ２８は、低コヒーレンス光源１２を点灯させる。これにより、ビームスプリッタ１８で測定光と参照光に分割され、測定光が測定対象物Ｏの表面に照射されるとともに、参照光がＣＣＰ４０に入射される。測定光は、測定対象物Ｏの表面で反射された後、ビームスプリッタ１８に戻り、ＣＣＰ４０で反射した参照光と一つに合わされて干渉し、光検出器２４に入射される。
【００７２】
低コヒーレンス光源１２から放射される光が安定したところで、コントローラ２８は、直動ステージ４２の駆動手段（不図示）を駆動し、ＣＣＰ４０を移動（往復）させる。ＣＣＰ４０が移動することにより、参照光の光路長が変化し、参照光と測定光との光路長差が変化する。
【００７３】
コントローラ２８は、スケールヘッド４６からＣＣＰ４０の位置情報を取得するとともに、光検出器２４から各受光素子３０の干渉信号を取得する。そして、各受光素子３０において、干渉信号が最大となるときのＣＣＰ４０の位置Ｐを検出する。
【００７４】
検出された受光素子３０ごとのＣＣＰ４０の位置Ｐの情報は、検出位置情報として、コントローラ２８内の記憶装置（不図示）に記憶される。
【００７５】
コントローラ２８は、受光素子３０ごとに検出位置Ｐと基準位置Ｐ０との差を求め、その差に対応する測定光と参照光の光路長差を求める。そして、求めた光路長差を基準面の表面位置に加えて、受光素子３０ごとに測定対象物Ｏの寸法（表面位置）を決定する。この各受光素子３０で求められる寸法は、対応する測定点の寸法を示しているので、すべての測定点の寸法を取得することにより、測定エリア内の各測定点の寸法が取得でき、測定エリアの三次元形状が取得される。
【００７６】
以上説明したように、本実施の形態の形状測定装置１０によれば、テレセントリック光学系２０を介して測定光を拡大、平行化して、測定対象物に測定光を照射し、面の三次元形状を一度に測定することができるので、面の三次元形状を高速に測定することができる。
【００７７】
また、テレセントリック光学系２０を介して測定光を測定対象物Ｏに照射するので、測定光を測定面に対して垂直に入射させることができる。これにより、測定光が測定面に対して斜めに入射することによる散乱を回避でき、高感度な測定を行うことができる。
【００７８】
更に、低コヒーレンス光源１２として、中心波長が紫外線領域の光源を使用することにより、測定光の像面解像度を向上させることができる。これにより、横方向の分解能を高めることができ、高精度な測定を行うことができる。また、これにより、微細形状やＭＥＭＳ（Micro Electro Mechanical Systems）、粗さなどの計測を行うことができる。
【００７９】
なお、上記の例では測定対象物Ｏの表面の１カ所だけを測定しているが、測定対象物駆動ステージ２６をＸ方向（又はＹ方向）に移動させて、測定対象物Ｏを移動させ、測定対象物Ｏに対する測定エリアの位置を変えることにより、複数箇所の測定を行うことができる。
【００８０】
〔第２の実施の形態〕
図６は、本発明に係る形状測定装置の第２の実施の形態を示す概略構成図である。
【００８１】
本実施の形態の形状測定装置は、参照光の光路長が不変とされ、光学系の全体が移動することにより、測定光と参照光の光路長差が変えられる。
【００８２】
なお、参照光の光路長が一定である点、及び、光学系の全体が移動可能とされている点以外は、基本的に上述した第１の実施の形態の形状測定装置１０と同じである。したがって、以下においては、上記第１の実施の形態の形状測定装置１０と相違する点についてのみ説明する。
【００８３】
図６に示すように、本実施の形態の形状測定装置１０Ａでは、ビームスプリッタ１８から出射された参照光を反射してビームスプリッタ１８に戻すためのＣＣＰ（参照光反射体）４０がビームスプリッタ１８に対して一定位置に固定して配置される。したがって、参照光の光路長は不変とされ、一定に維持される。
【００８４】
光学系を構成するコリメータ１６と、ビームスプリッタ１８と、テレセントリック光学系２０と、ＣＣＰ４０と、光検出器２４とは、光学系支持フレーム（支持体）５０に設けられる。
【００８５】
光学系支持フレーム５０は、スライダ５２を介してガイドレール５４上に設けられる。ガイドレール５４は、形状測定装置１０Ａの本体フレーム（不図示）に配設される。このガイドレール５４は、テレセントリック光学系２０から出射される測定光の光軸の平行同軸性を保つように配設される。光学系支持フレーム５０は、図示しない駆動手段（たとえば、圧電素子やボイスコイルモータ、超音波モータ等）に駆動されてガイドレール５４上を往復移動する。
【００８６】
光学系支持フレーム５０がガイドレール５４上を往復移動することにより、コリメータ１６と、ビームスプリッタ１８と、テレセントリック光学系２０と、ＣＣＰ４０と、光検出器２４とが一体的に移動し、測定光の光路長が変化する。これにより、測定光と参照光との光路長差が変動する。
【００８７】
光学系支持フレーム５０の位置は、リニアスケール５６とスケールヘッド５８とからなる位置検出手段（支持体位置検出手段）によって検出される。
【００８８】
リニアスケール５６は、光学系支持フレーム５０に設けられ、光学系支持フレーム５０とともに移動する。スケールヘッド５８は、形状測定装置１０Ａの本体フレーム（不図示）に固定して設けられる。スケールヘッド５８でリニアスケール５６の位置情報を読み取り、光学系支持フレーム５０の位置を検出する。スケールヘッド５８で読み取られた光学系支持フレーム５０の位置情報は、コントローラ２８に出力される。
【００８９】
［作用］
次に、以上のように構成される本実施の形態の形状測定装置１０Ａを用いた測定対象物の面の三次元形状の測定方法について説明する。
【００９０】
上記第１の実施の形態の形状測定装置１０では、ＣＣＰ４０を移動させ、干渉光の強度が最大になるときのＣＣＰ４０の位置を求めて、測定対象物Ｏの寸法を求める構成とされている。
【００９１】
本実施の形態の形状測定装置１０Ａでは、光学系支持フレーム５０を移動させ、干渉光の強度が最大になるときの光学系支持フレーム５０の位置を求めて、測定対象物Ｏの寸法を求める。具体的には、以下のように測定が行われる。
【００９２】
上記第１の実施の形態の形状測定装置１０と同様に、事前準備として基準面の測定を行う。基準面の測定は、寸法（表面位置）が既知の基準品を測定対象物駆動ステージ２６にセットし、その表面（基準面）を測定することにより行う。すなわち、基準品を測定対象物駆動ステージ２６にセットし、低コヒーレンス光源１２を点灯させ、基準品の表面に測定光を照射する。そして、光学系支持フレーム５０を移動させ、干渉光の強度が最大になるときの光学系支持フレーム５０の位置Ｐ０を検出する。光検出器２４では、受光素子３０ごとに干渉光が受光されるので、受光素子３０ごとに干渉光の強度が最大になるときの光学系支持フレーム５０の位置Ｐ０が検出される。
【００９３】
コントローラ２８は、受光素子３０ごとに得られた光学系支持フレーム５０の位置Ｐ０の情報を基準位置情報としてコントローラ２８内の記憶装置（不図示）に記憶する。
【００９４】
以上の事前準備が完了した後、測定対象物Ｏの測定を行う。
【００９５】
測定対象物Ｏを形状測定装置１０の測定対象物駆動ステージ２６にセットする。セット後、オペレータはコントローラ２８に測定開始を指示する。
【００９６】
測定開始が指示されると、まず、コントローラ２８は、低コヒーレンス光源１２を点灯させる。これにより、ビームスプリッタ１８で測定光と参照光に分割され、測定光が測定対象物Ｏの表面に照射されるとともに、参照光がＣＣＰ４０に入射される。測定光は、測定対象物Ｏの表面で反射された後、ビームスプリッタ１８に戻り、ＣＣＰ４０で反射した参照光と一つに合わされて干渉し、光検出器２４に入射される。
【００９７】
低コヒーレンス光源１２から放射される光が安定したところで、コントローラ２８は、光学系支持フレーム５０の駆動手段（不図示）を駆動し、光学系支持フレーム５０を移動（往復）させる。光学系支持フレーム５０が移動することにより、参照光と測定光との光路長差が変化する。
【００９８】
コントローラ２８は、スケールヘッド５８から光学系支持フレーム５０の位置情報を取得するとともに、光検出器２４から各受光素子３０の干渉信号を取得する。そして、各受光素子３０において、干渉信号が最大となるときの光学系支持フレーム５０の位置Ｐを検出する。
【００９９】
検出された受光素子３０ごとの光学系支持フレーム５０の位置Ｐの情報は、検出位置情報として、コントローラ２８内の記憶装置（不図示）に記憶される。
【０１００】
コントローラ２８は、受光素子３０ごとに検出位置Ｐと基準位置Ｐ０との差を求め、その差に対応する参照光と測定光との光路長差を求める。そして、求めた光路長差を基準面の表面位置に加えて、受光素子３０ごとに測定対象物Ｏの寸法（表面位置）を決定する。この各受光素子３０で求められる寸法は、対応する測定点の寸法を示しているので、すべての測定点の寸法を取得することにより、測定エリア内の各測定点の寸法が取得でき、測定エリアの三次元形状が取得される。
【０１０１】
以上説明したように、光学系の全体を移動させることによっても、面の三次元形状を測定することができ、高速に面の三次元形状を測定することができる。
【０１０２】
また、光学系の一部だけを移動させる構成とするのではなく（たとえば、テレセントリック光学系２０のみを移動させる構成など）、光学系の全体を移動させる構成とすることにより、像面歪み等の発生を防止でき、高精度な測定を行うことができる。
【０１０３】
なお、本実施の形態では、光学系全体を移動させることにより、測定光と参照光との光路長差を変動させる構成としているが、図７に示すように、測定対象物駆動ステージ２６を昇降可能（図７中Ｚ方向に移動可能）に構成し、測定対象物Ｏを上下動させる構成（テレセントリック光学系２０から出射される測定光の光軸の平行同軸性を保つように移動させる構成）とすることもできる。この場合、光学系の全体は固定とされる。また、測定対象物駆動ステージ２６の高さ位置（図７中Ｚ方向の位置）を位置検出手段（たとえば、リニアスケール５６とスケールヘッド５８等で構成）によって検出し、測定対象物の位置を検出する構成とされる。
【０１０４】
〔その他の実施の形態〕
［１］測定データの較正
上記のように、本発明に係る形状測定装置では、測定光をテレセントリック光学系によって拡大、平行化して測定対象物に照射する。しかし、測定光をテレセントリック光学系によって拡大、平行化して測定対象物に照射すると、偏向された測定光の光路長に変化が生じ、測定データにズレが生じる。そこで、測定光の偏向方向に基づく測定データのズレを補正するため、事前に補正データを取得し、この補正データを用いて測定データを補正する。これにより、より高精度な測定を行うことができる。
【０１０５】
補正データは、寸法が既知（形状データ（基準形状データ）が既知）の基準品の基準面を測定し、その測定結果から各測定点における測定データの補正データを生成する。たとえば、基準品を測定して得られた測定データと、基準品の基準形状データとを比較して、較正するための補正係数を作成し、これを補正データとする。
【０１０６】
コントローラ２８は、たとえば、実際の測定開始前にこの補正データの生成処理を実施し、得られた補正データを記憶装置（補正情報記憶手段）に記録する。そして、実際の測定の際には、得られた測定データを補正データで補正して、真の測定データを算出する。
【０１０７】
上記のように、実際の測定では、事前準備として基準面の測定が行われるので、この基準面の測定と同時に補正データの生成を行うことが好ましい。
【０１０８】
［２］参照光路長の補正
上記のように、測定光をテレセントリック光学系によって拡大し平行化すると、測定光の光路長に変化が生じる。したがって、この拡大、平行化による測定光の光路長の変化に応じて、参照光の光路長も変化させることにより、より高精度な測定を行うことができる。すなわち、測定光の光路長の変化に対応させて、参照光の光路長を変化させる。これにより、測定光を拡大、平行化させることによる影響を取り除くことができる。
【０１０９】
ここで、テレセントリック光学系によって拡大、平行化させることによって測定光の光路長がどのように変化するかは、あらかじめ求めることができる。したがって、測定光の変化量と同じ変化量で参照光の光路長が変化するように、参照光の光路長を補正する。補正は、たとえば、図８に示すように、参照光の光路中に補正用の光学系６０を配置し、この補正用の光学系６０で参照光の光路長を補正することにより行う。
【０１１０】
［３］分割手段及び光干渉手段の他の実施例
上記実施の形態では、分割手段及び光干渉手段としてビームスプリッタを使用しているが、分割手段及び光干渉手段には、この他、光カプラ等を用いることもできる。
【０１１１】
［４］参照光反射体の他の実施例
上記実施の形態では、参照光反射体としてＣＣＰを使用しているが、参照光反射体としては、この他、ＣＣＭ（Corner Cube Mirror：コーナーキューブミラー）や直角プリズム、直角ミラーなどを使用することもできる。
【０１１２】
［５］測定対象物
本発明によれば、測定対象物の寸法を広範囲にわたって高精度に測定することができる。測定対象物は特に限定されない。低コヒーレンス干渉法では、透明体を透過させて屈折率の異なる多層膜も計測することができるため、膜厚及び透明プラスチックなどで覆われた物体の形状測定も行うことができる。
【０１１３】
［６］測定対象物の撮影
上記のように、光検出器２４にはＣＣＤイメージセンサやＣＭＯＳイメージセンサなどの固体撮像素子が好適に用いられる。このような固体撮像素子を光検出器２４に用いた場合、面の形状の測定と同時に、その面の画像を取得することができる。したがって、固体撮像素子を光検出器２４に用いた場合は、形状の測定と同時に、その形状が測定された面の画像を撮像する構成とすることもできる。これにより、三次元形状のデータだけではなく、その三次元形状のデータが得られた面の画像データも取得することができる。
【符号の説明】
【０１１４】
１０…形状測定装置、１０Ａ…形状測定装置、１２…低コヒーレンス光源、１４…ライトガイド、１６…コリメータ、１８…ビームスプリッタ、２０…テレセントリック光学系、２２…参照光走査光学系、２４…光検出器、２６…測定対象物駆動ステージ、２８…コントローラ、３０…受光素子、４０…ＣＣＰ（コーナーキューブプリズム）、４２…直動ステージ、４４…リニアスケール、４６…スケールヘッド、４８…ガイドレール、５０…光学系支持フレーム、５２…スライダ、５４…ガイドレール、５６…リニアスケール、５８…スケールヘッド、６０…補正用の光学系、Ｏ…測定対象物
【図１】
2014098572.tif 000003
【図２】
2014098572.tif 000004
【図３】
2014098572.tif 000005
【図４】
2014098572.tif 000006
【図５】
2014098572.tif 000007
【図６】
2014098572.tif 000008
【図７】
2014098572.tif 000009
【図８】
2014098572.tif 000010